(57)【要約】 【課題】  効率的に動力を発生する動力発生装置を提供する。【解決手段】  回転体４１は、回転体４２〜４５と噛み合っている。磁石２１〜２５は、それぞれ回転体４１〜４５と一体となってそれぞれ中心軸３１〜３５を中心として回転する。磁石２１は、それぞれ回転軸３２〜３５に最接近すると、磁石２２〜２５と反発して回転力が付勢される。【選択図】  図１
2007303282.tif 000002
【特許請求の範囲】
【請求項１】
回転軸を中心に回転し、一端部が第１の磁極となり、前記回転軸に対して前記一端部と対称位置にある他端部が第２の磁極となる磁石体と、前記回転軸を中心に回転する歯車とによってそれぞれ構成される複数の回転体
を有し、
第１の前記回転体の周囲に複数の第２の前記回転体が、前記第１の回転体の前記歯車と前記複数の第２の回転体の前記歯車とが噛み合うように配置され、
前記第１の回転体の前記磁石体の第１の磁極が前記回転軸を中心とした回転によって前記第２の回転体の回転軸に最接近したときに、前記第１の回転体の前記磁石体の前記第１の磁極と前記第２の回転体の前記磁石体の前記第１の磁極とが最接近し、前記第１の回転体の前記磁石体の第２の磁極が前記回転軸を中心とした回転によって前記第２の回転体の回転軸に最接近したときに、前記第１の回転体の前記磁石体の前記第２の磁極と前記第２の回転体の前記磁石体の前記第２の磁極とが最接近するように前記第１の回転体および前記第２の回転体の回転位置が規定されている
動力発生装置。
【請求項２】
前記第２の回転体の周囲に複数の第３の前記回転体が、前記第２の回転体の前記歯車と前記複数の第３の回転体の前記歯車とが噛み合うように配置され、
前記第２の回転体の前記磁石体の第１の磁極が前記回転軸を中心とした回転によって前記第３の回転体の回転軸に最接近したときに、前記第２の回転体の前記磁石体の前記第１の磁極と前記第３の回転体の前記磁石体の前記第１の磁極とが最接近し、前記第２の回転体の前記磁石体の第２の磁極が前記回転軸を中心とした回転によって前記第３の回転体の回転軸に最接近したときに、前記第２の回転体の前記磁石体の前記第２の磁極と前記第３の回転体の前記磁石体の前記第２の磁極とが最接近するように前記第２の回転体および前記第３の回転体の回転位置が規定されている
請求項１に記載の動力発生装置。
【請求項３】
前記磁石体は、永久磁石である
請求項１または請求項２に記載の動力発生装置。
【発明の詳細な説明】
【技術分野】
【０００１】
本発明は、動力を効率的に発生する動力発生装置に関する。
【背景技術】
【０００２】
例えば、石油などの燃料を燃焼させて生じたエネルギを基に発電を行うシステムがある。
【発明の開示】
【発明が解決しようとする課題】
【０００３】
しかしながら、上述した従来のシステムでは、石油などを燃焼させることで、大量の二酸化炭素を排出するため、地球環境上、様々な問題を引き起こしている。
また、石油などの資源は有限である。従って、動力を効率的に発生する装置が期待されている。
【０００４】
本発明は、上述した従来技術に鑑みてなされ、効率的に動力を発生する動力発生装置を提供することを目的とする。
【課題を解決するための手段】
【０００５】
上述した目的を達成するために、請求項１の発明の動力発生装置は、回転軸を中心に回転し、一端部が第１の磁極となり、前記回転軸に対して前記一端部と対称位置にある他端部が第２の磁極となる磁石体と、前記回転軸を中心に回転する歯車とによってそれぞれ構成される複数の回転体を有し、第１の前記回転体の周囲に複数の第２の前記回転体が、前記第１の回転体の前記歯車と前記複数の第２の回転体の前記歯車とが噛み合うように配置され、前記第１の回転体の前記磁石体の第１の磁極が前記回転軸を中心とした回転によって前記第２の回転体の回転軸に最接近したときに、前記第１の回転体の前記磁石体の前記第１の磁極と前記第２の回転体の前記磁石体の前記第１の磁極とが最接近し、前記第１の回転体の前記磁石体の第２の磁極が前記回転軸を中心とした回転によって前記第２の回転体の回転軸に最接近したときに、前記第１の回転体の前記磁石体の前記第２の磁極と前記第２の回転体の前記磁石体の前記第２の磁極とが最接近するように前記第１の回転体および前記第２の回転体の回転位置が規定されている。
請求項１の発明では、第１の回転体の歯車と、複数の第２の回転体の歯車とが噛み合っているため、これらの回転は同期する。
また、前記第１の回転体の前記磁石体の第１の磁極が前記回転軸を中心とした回転によって前記第２の回転体の回転軸に最接近したときに、前記第１の回転体の前記磁石体の前記第１の磁極と前記第２の回転体の前記磁石体の前記第１の磁極とが最接近するため、第１の磁極相互間に生じる反発力によって回転力が付勢される。
同様に、前記第１の回転体の前記磁石体の第２の磁極が前記回転軸を中心とした回転によって前記第２の回転体の回転軸に最接近したときに、前記第１の回転体の前記磁石体の前記第２の磁極と前記第２の回転体の前記磁石体の前記第２の磁極とが最接近するため、当該回転角度においても、第２の磁極相互間に生じる反発力によって回転力が付勢される。
【０００６】
請求項２の発明は、請求項１の発明において、前記第２の回転体の周囲に複数の第３の前記回転体が、前記第２の回転体の前記歯車と前記複数の第３の回転体の前記歯車とが噛み合うように配置され、前記第２の回転体の前記磁石体の第１の磁極が前記回転軸を中心とした回転によって前記第３の回転体の回転軸に最接近したときに、前記第２の回転体の前記磁石体の前記第１の磁極と前記第３の回転体の前記磁石体の前記第１の磁極とが最接近し、前記第２の回転体の前記磁石体の第２の磁極が前記回転軸を中心とした回転によって前記第３の回転体の回転軸に最接近したときに、前記第２の回転体の前記磁石体の前記第２の磁極と前記第３の回転体の前記磁石体の前記第２の磁極とが最接近するように前記第２の回転体および前記第３の回転体の回転位置が規定されている。
【０００７】
また、請求項３の発明の動力発生装置は、請求項１または請求項２の発明において、前記磁石体が永久磁石であることを特徴としている。
【発明の効果】
【０００８】
本発明によれば、効率的に動力を発生する動力発生装置を提供することができる。
【発明を実施するための最良の形態】
【０００９】
以下、本発明の実施形態に係わる動力発生装置について説明する。
＜第１実施形態＞
図１は、本発明の第１実施形態の動力発生装置１の正面図である。
図２は、図１に示す動力発生装置１を、図１に示す矢印Ａに示す側面側から見た図である。
【００１０】
先ず、本実施形態の構成要素と本発明の構成要素との対応関係を説明する。
回転体１１が本発明の第１の回転体の一例であり、回転体１１〜１５が本発明の第２の回転体の一例である。
また、回転軸３１〜３５が本発明の回転軸の一例であり、歯車４１〜４５が本発明の歯車の一例である。
【００１１】
図１に示すように、動力発生装置１は、回転体１１〜１５を有する。
回転体１１は、磁石２１と、回転軸３１と、歯車４１とを有する。
磁石２１は、長方形の薄板形状の永久磁石であり、一端の極性がＮ、他端の極性がＳになっている。磁石２１は、その中心に位置する回転軸３１に固定されており、回転軸３１と一体となって回転する。
歯車４１は、その中心に位置する回転軸３１に固定されており、回転軸３１と一体となって回転する。
歯車４１の外径は、磁石２１の長手方向の長さと略同じか長いい。
【００１２】
回転体１２〜１５は、上述した回転体１１と同じ構成を有し、それぞれ磁石２２〜２５、回転軸３２〜３５および歯車４２〜４５で構成される。回転体１１〜１５の各構成要素の寸法は同じである。
【００１３】
図１に示すように、回転体１１〜１５は、回転体１１を中心に、その周囲に回転体１２〜１５が配置されている。
このとき、回転体１１の回転軸３１と、回転体１２〜１５の回転軸３２〜３５との間の距離は同じである。
回転体１１の歯車４１は、図２等に示すように、回転体１２の歯車４２、回転体１３の歯車４３、回転体１４の歯車４４および回転体１５および歯車４５と噛み合っている。また、回転体１１〜１５は、図１中矢印の方向にのみ回転するように、逆向きの回転を規制するストッパー（図示せず）が設けられている。
すなわち、動力発生装置１では、図１に示すように、回転体１１が時計回りに回転し、回転体１２〜１５が反時計回りに回転する。このとき、回転体１１〜１５の歯車４１〜４５が上述したように噛み合っていることから、回転軸３１〜３５を中心とした磁石２１〜２５の回転は完全に同期する。
【００１４】
回転体１２の磁石２２は、磁石２１のＮ極が磁石２２の回転軸３２に最接近したときに、磁石２２のＮ極が回転体１１の回転軸３１に最接近するように回転角度が設定されている。
回転体１３の磁石２３は、図４に示すように、磁石２１のＮ極が磁石２３の回転軸３３に最接近したときに、磁石２３のＮ極が回転体１１の回転軸３１に最接近するように回転角度が設定されている。
【００１５】
回転体１４の磁石２４は、図１に示すように、磁石２１のＳ極が磁石２４の回転軸３４に最接近したときに、磁石２４のＳ極が回転体１１の回転軸３１に最接近するように回転角度が設定されている。
回転体１５の磁石２５は、磁石２１のＳ極が磁石２５の回転軸３５に最接近したときに、磁石２５のＳ極が回転体１１の回転軸３１に最接近するように回転角度が設定されている。
【００１６】
また、回転体１１〜１５は、上述したように最接近したときに、磁石２１と磁石２２〜２５とが相互に磁力を及ぼし合うよう位置関係に配置されている。
【００１７】
以下、動力発生装置１の動作例を説明。
図１に示す状態において、磁石２１の時計回りの回転および磁石２２〜２５の反時計回りの回転が付勢されている。
図１に示す状態では、磁石２１のＮ極が磁石２２のＮ極と最接近（対向）し、相互に反発し、この反発力によって上記付勢力が生じる。
また、磁石２１のＳ極が磁石２４のＳ極と最接近し、相互に反発し、この反発力によって上記付勢力が生じる。
【００１８】
その後、動力発生装置１は、図３に示す状態になり、この状態においても、磁石２１のＮ極と磁石２２のＮ極とが反発すると共に、磁石２１のＳ極と磁石２４のＳ極とが反発する。
このとき、図１に示す状態から図３に示す状態になるまでに生じた磁力による付勢力によって、動力発生装置１は、図３に示す状態から図４の状態になる。
ここで、図４に示す状態は、図１に示す状態を９０度時計回りに回転させた状態であり、図１に示す状態と磁力の影響は同じである。従って、図４に示す状態においても、図１に示す状態と同様に、磁石２１の時計回りの回転および磁石２２〜２５の反時計回りの回転が付勢される。
このように、動力発生装置１は、磁石２１〜２５の全ての回転角度において、磁石２１を時計回りに回転させ、且つ磁石２２〜２５を反時計回りに回転させるように付勢力が生じ、磁石２１〜２５の回転は加速される。そして、当該回転を様々な動力として利用できる。
【００１９】
＜第２実施形態＞
図５は、本実施形態の動力発生装置１０１の平面側の構成図である。
図５に示すように、動力発生装置１０１は、第１実施形態の動力発生装置１の回転体１１〜１５の周囲に、さらに８個の回転体２０１〜２０８を配置して構成される。
回転体２０１〜２０８は、第１実施形態で説明した回転体１１〜１５と同じ構成をしている。
【００２０】
動力発生装置１０１において、回転体２０１の歯車は、回転体１２，１５の歯車４２，４５と噛み合っている。
また、回転体２０２の歯車は、回転体１２の歯車４２と噛み合っている。
また、回転体２０３の歯車は、回転体１２，１３の歯車４２，４３と噛み合っている。
また、回転体２０４の歯車は、回転体１３の歯車４３と噛み合っている。
また、回転体２０５の歯車は、回転体１３，１４の歯車４３，４４と噛み合っている。
また、回転体２０６の歯車は、回転体１４の歯車４４と噛み合っている。
また、回転体２０７の歯車は、回転体１４，１５の歯車４４，４５と噛み合っている。
また、回転体２０８の歯車は、回転体１５の歯車４５と噛み合っている。
【００２１】
動力発生装置１０１において、回転体１１と回転体１２〜１５の間において磁石によって生じる回転の付勢力は第１実施形態で説明したものと同じである。
動力発生装置１０１において、回転体１２，１３，１４，１５に生じる回転力は、第１実施形態で説明した回転体１１に生じる回転力と同じである。
そのため、動力発生装置１０１によれば、第１実施形態の動力発生装置１に比べて、使われている回転体の数が多い分だけより強い力の回転力を各回転体に発生させることができる。
【００２２】
本発明は上述した実施形態には限定されない。
上述した実施形態では、回転体を５個用いる場合と、１３個用いる場合を例示したが、これらの数は特に限定されない。
また、上述した実施形態では、回転体１１を中心として、回転体１２〜１５等を点対称に配置したが、配置パターンは点対象でなくてもよい。
【産業上の利用可能性】
【００２３】
本発明は、効率的に動力を発生する動力発生装置に適用できる。
【図面の簡単な説明】
【００２４】
【図１】図１は、本発明の第１実施形態の動力発生装置の平面側の構成図である。
【図２】図２は、図１に示す３列の回転体の側面方向の構成図である。
【図３】図３は、本発明の第１実施形態の動力発生装置において、図１に示す状態から回転体が４５°回転した状態を説明ための図である。
【図４】図４は、本発明の第１実施形態の動力発生装置において、図３に示す状態から回転体がさらに４５°回転した状態を説明ための図である。
【図５】図５は、本発明の第２実施形態の動力発生装置の平面側の構成図である。
【００２５】
１,１０１…動力発生装置、１１〜１５，２０１〜２０８…回転体、２１〜２５…磁石、３１〜３５…回転軸、４１〜４５…歯車
【図１】
2007303282.tif 000003
【図２】
2007303282.tif 000004
【図３】
2007303282.tif 000005
【図４】
2007303282.tif 000006
【図５】
2007303282.tif 000007